(57)【特許請求の範囲】
【請求項１】
外側火薬層と内側火薬層とよりなり、外側火薬層は内側火薬層よりも燃焼速度が速く且つ外側火薬層と内側火薬層とは着火温度がほぼ等しくなるようにしたことを特徴とする玩具花火における着火薬。
【請求項２】
外側火薬層と内側火薬層とよりなり、外側火薬層は内側火薬層よりも燃焼速度が速く且つ外側火薬層と内側火薬層とは着火温度がほぼ等しくなるようにした着火薬を介して複数の花火を連結してなることを特徴とする玩具花火。
【請求項３】
外側火薬層と内側火薬層とよりなり、外側火薬層は内側火薬層よりも燃焼速度が速く且つ外側火薬層と内側火薬層とは着火温度がほぼ等しくなるようにした着火薬と燃焼速度が遅い単一の火薬層よりなる着火薬とを介して複数の花火を連結してなることを特徴とする玩具花火。
【請求項４】
複数本の花火の一端を支持手段に支持させ、他端を着火薬により連結してなる玩具花火において、該火薬層は外側火薬層と内側火薬層とよりなり、外側火薬層は内側火薬層よりも燃焼速度が速く且つ外側火薬層と内側火薬層とは着火温度がほぼ等しくなるようにしたことを特徴とする玩具花火。
【発明の詳細な説明】
【０００１】
【発明の属する技術分野】
本発明は、玩具花火における着火薬及び該着火薬を用いた玩具花火に関するものである。
【０００２】
【従来の技術】
火薬部の先端に燃焼速度が遅い（低い）着火薬を固着してなる玩具花火及び複数の花火を燃焼速度が遅い着火薬を介して連結してなる玩具花火が既に知られている。玩具花火に使用されている従来の着火薬の燃焼速度は遅く、一般に約１００ｍｍ／秒程度である。
【０００３】
【発明が解決しようとする課題】
火薬部の先端に着火薬を固着してなる従来の玩具花火においては、該着火薬の燃焼速度が遅いため、例えば図２に示すように火薬部１の先端に固着した着火薬３の一端３ａに点火したときには、まず着火薬３の当該一端３ａが燃焼を開始し、やがて火は着火薬３の中央部３ｂ、３ｂを経て徐々に着火薬３の他端３ｃに移る。しかるに、火が着火薬３の一端３ａから他端３ｃに燃え移るまでに相当の時間を要するため、その間に着火薬３の燃焼による熱が逐次大気中に逃げ出してしまい、その結果、火薬部１が着火温度まで加熱されないまま、着火薬３が燃え尽きるおそれもある。換言すれば、このような着火薬３を固着した火薬部１は火付きが悪いということになる。なお、図２における符号５に示すものは点火手段としてのロウソクである。
【０００４】
一方、複数の花火を燃焼速度が遅い着火薬を介して連結してなる玩具花火においては、一つの花火が着火した後、他の花火が着火するまでに相当の時間を要するため、複数の花火を同時に燃焼させることができないという問題がある。
【０００５】
本発明は従来の技術における上述の如き問題を解決しようとしてなされたものである。
【０００６】
【課題を解決するための手段】
上記課題を解決するために、本発明は下記の着火薬及び玩具花火を提供するものである。
【０００７】
（１）外側火薬層と内側火薬層とよりなり、外側火薬層は内側火薬層よりも燃焼速度が速く（高く）且つ外側火薬層と内側火薬層とは着火温度がほぼ等しくなるようにしたことを特徴とする玩具花火における着火薬（請求項１）。
【０００８】
（２）外側火薬層と内側火薬層とよりなり、外側火薬層は内側火薬層よりも燃焼速度が速く且つ外側火薬層と内側火薬層とは着火温度がほぼ等しくなるようにした着火薬を介して複数の花火を連結してなることを特徴とする玩具花火（請求項２）。
【０００９】
（３）外側火薬層と内側火薬層とよりなり、外側火薬層は内側火薬層よりも燃焼速度が速く且つ外側火薬層と内側火薬層とは着火温度がほぼ等しくなるようにした着火薬と燃焼速度が遅い単一の火薬層よりなる着火薬とを介して複数の花火を連結してなることを特徴とする玩具花火（請求項３）。
【００１０】
（４）複数本の花火の一端を支持手段に支持させ、他端を着火薬により連結してなる玩具花火において、該火薬層は外側火薬層と内側火薬層とよりなり、外側火薬層は内側火薬層よりも燃焼速度が速く且つ外側火薬層と内側火薬層とは着火温度がほぼ等しくなるようにしたことを特徴とする玩具花火（請求項４）。
【００１１】
【作用】
［請求項１の着火薬］
請求項１の着火薬に点火すると、火は燃焼速度が速い外側火薬層に沿って着火薬の全表面に一挙に広がる（図１参照）。即ち、着火薬の全表面がほぼ同時に燃焼を開始する。しかして、内側火薬層は外側火薬層と着火温度がほぼ等しいのであるから、着火薬の全表面（外側火薬層の全表面）がほぼ同時に燃焼を開始した直後に内側火薬層の全面が外側火薬層の燃焼熱によりほぼ同時に燃焼を開始する。換言すれば、着火薬全体が点火直後にほぼ同時に燃焼を開始することになる。また、内側火薬層は燃焼速度が遅いため、蓄熱作用をなす（この点は請求項２〜４における着火薬の内側火薬層についても同様である。）。従って、玩具花火の火薬部は着火薬の燃焼熱により効率良く集中的に加熱され、確実に着火する。
【００１２】
［請求項２の玩具花火］
請求項２の玩具花火においては、着火薬の一端に点火すると、火は燃焼速度が速い着火薬の外側火薬層に沿って着火薬の全表面に一挙に広がる。即ち、着火薬の全表面がほぼ同時に燃焼を開始する。しかして、内側火薬層は外側火薬層と着火温度がほぼ等しいのであるから、着火薬の全表面（外側火薬層の全表面）がほぼ同時に燃焼を開始した直後に内側火薬層の全面が外側火薬層の燃焼熱によりほぼ同時に燃焼を開始する。換言すれば、着火薬全体が点火直後にほぼ同時に燃焼を開始することになる。従って、着火薬を介して連結されている複数の花火がほぼ同時に燃焼を開始する。この場合、各花火の火薬部が着火薬の燃焼熱により効率良く集中的に加熱され、確実に着火することは、請求項１について述べたことと同様である。
【００１３】
［請求項３の玩具花火］
請求項３の玩具花火においては、着火薬の一端に点火すると、外側火薬層と内側火薬層とよりなる着火薬については、火は燃焼速度が速い着火薬の外側火薬層に沿って着火薬の全表面に一挙に広がり、着火薬の全表面がほぼ同時に燃焼を開始する。しかして、内側火薬層は外側火薬層と着火温度がほぼ等しいのであるから、着火薬の全表面（外側火薬層の全表面）がほぼ同時に燃焼を開始した直後に内側火薬層の全面が外側火薬層の燃焼熱によりほぼ同時に燃焼を開始する。換言すれば、該着火薬全体が点火直後にほぼ同時に燃焼を開始することになる。従って、当該着火薬に連結されている花火が着火薬の点火後直ちに燃焼を開始する。一方、燃焼速度が遅い単一の火薬層よりなる着火薬については、火は徐々に燃え進み、やがて当該着火薬に連結されている花火が燃焼を開始する。従って、これら２種類の着火薬の組合せにより、各花火の燃焼のタイミングを調節し、或いは着火薬に点火した後、最初の花火が着火するまでの時間を調節することができる。
【００１４】
［請求項４の玩具花火］
請求項４の玩具花火においては、複数本の花火の前記他端を連結している着火薬に点火すると、火は燃焼速度が速い着火薬の外側火薬層に沿って着火薬の全表面に一挙に広がる。即ち、着火薬の全表面がほぼ同時に燃焼を開始する。しかして、内側火薬層は外側火薬層と着火温度がほぼ等しいのであるから、着火薬の全表面（外側火薬層の全表面）がほぼ同時に燃焼を開始した直後に内側火薬層の全面が外側火薬層の燃焼熱によりほぼ同時に燃焼を開始する。換言すれば、着火薬全体が点火直後にほぼ同時に燃焼を開始することになる。従って、着火薬を介して連結されている複数本の花火がほぼ同時に燃焼を開始する。この場合、各花火の火薬部が着火薬の燃焼熱により効率良く集中的に加熱され、確実に着火することは、請求項１について述べたことと同様である。
【００１５】
【発明の実施の形態】
次に、本発明の実施の形態を添付図面に従って説明する。
符号１１に示すものは本発明における着火薬である。着火薬１１は外側火薬層１３と内側火薬層１５とよりなり、外側火薬層１３は内側火薬層１５よりも燃焼速度が速く且つ外側火薬層１３と内側火薬層１５とは着火温度がほぼ等しくなるようにする。なお、燃焼時の熱量は外側火薬層１３よりも内側火薬層１５の方が大であることが望ましい。
【００１６】
外側火薬層１３は約２００ｍｍ／秒程度の燃焼速度と約３５０℃の着火温度を有する。外側火薬層１３の組成は一例として下記の通りである。
硝酸カリウム        ３９．８重量部
硝酸バリウム        ２０．２重量部
過塩素酸カリウム      ６．１重量部
硫黄                  ５．５重量部
木炭                １４．４重量部
でんぷんのり        １４．０重量部
【００１７】
内側火薬層１５は約１００ｍｍ／秒程度の燃焼速度と約３５０℃の着火温度を有する。内側火薬層１５の組成は一例として下記の通りである。
硝酸カリウム          ５．０重量部
硝酸バリウム        ３８．１重量部
過塩素酸カリウム    １９．７重量部
硫黄                  ５．３重量部
木炭                １８．９重量部
でんぷんのり        １３．０重量部
【００１８】
図１に示す事例においては、着火薬１１を玩具花火における火薬部１７の先端に固着している。なお、図１における符号１９に示すものは点火手段としてのロウソクである。
【００１９】
図３は着火薬１１を介して複数の花火２１、２１・・・を連結してなる玩具花火の一例を示すものである。符号２３は花火２１、２１・・・を保持する保持体である。着火薬１１を介して連結される花火２１、２１・・・は、例えば、ススキ、スパークラー、噴出し花火等、玩具花火であればいかなるものであってもよい。また、着火薬１１は、一例として図４に示すように、芯材２５に内側火薬層１５と外側火薬層１３とを固着させてなるものであってもよい。
【００２０】
図５は、図３の変形例であって、複数の花火２１、２１・・・を前記着火薬１１と燃焼速度が遅い単一の火薬層よりなる着火薬２７とを介して連結してなる玩具花火の一例を示すものである。着火薬１１と燃焼速度が遅い単一の火薬層よりなる着火薬２７とは、一例として図６に示すように、芯材２９に固着されている。着火薬２７は約８０ｍｍ／秒程度の燃焼速度と約４００℃の着火温度を有する。着火薬２７の組成は一例として下記の通りである。
硝酸カリウム          ５．０重量部
硝酸バリウム        ３９．６重量部
過塩素酸カリウム    １８．４重量部
炭酸カルシウム        ４．９重量部
木炭                １３．３重量部
でんぷんのり        １８．８重量部
【００２１】
図７は、複数本の花火３１、３１・・・の一端を支持手段３３に支持させ、他端を前記着火薬１１により連結してなる玩具花火を示すものである。着火薬１１を介して連結される花火３１、３１・・・は、例えば、ススキ、スパークラー、噴出し花火等、玩具花火であればいかなるものであってもよい。この事例においては、着火薬１１に点火すると花火３１、３１・・・は一斉に着火すると共に外方に開いて燃焼する。
【００２２】
図８は複数本の花火４１、４１・・・の一端を前記着火薬１１により連結してなる玩具花火を示すものである。着火薬１１を介して連結される花火４１、４１・・・は、例えば、ススキ、スパークラー、噴出し花火等、玩具花火であればいかなるものであってもよい。
【００２３】
【発明の効果】
［請求項１の着火薬］
請求項１の着火薬を用いた玩具花火における火薬部は着火薬の燃焼熱により効率良く集中的に加熱され、確実に着火する。
【００２４】
［請求項２の玩具花火］
請求項２の玩具花火においては、着火薬を介して連結されている複数の花火がほぼ同時に燃焼を開始する。各花火の火薬部は着火薬の燃焼熱により効率良く集中的に加熱され、確実に着火する。
【００２５】
［請求項３の玩具花火］
請求項３の玩具花火においては、外側火薬層と内側火薬層とよりなる着火薬と燃焼速度が遅い単一の火薬層よりなる着火薬とを組み合わせることにより、各花火の燃焼のタイミングを調節し、或いは着火薬に点火した後、最初の花火が着火するまでの時間を調節することができる。
【００２６】
［請求項４の玩具花火］
請求項４の玩具花火においては、着火薬を介して連結されている複数本の花火がほぼ同時に燃焼を開始する。各花火の火薬部は着火薬の燃焼熱により効率良く集中的に加熱され、確実に着火する。
【図面の簡単な説明】
【図１】本発明による着火薬の一例を示す断面図である。
【図２】従来の着火薬を示す断面図である。
【図３】本発明による着火薬を用いた玩具花火の一例を示す正面図である。
【図４】図３のＩＶ−ＩＶ線における端面図である。
【図５】本発明による着火薬を用いた玩具花火の別の一例を示す正面図である。
【図６】図５のＶＩ−ＶＩ線における端面図である。
【図７】本発明による着火薬を用いた玩具花火の更に別の一例を示す正面図である。
【図８】本発明による着火薬を用いた玩具花火の更に別の一例を示す正面図である。
【符号の説明】
１  火薬部
３  着火薬
３ａ  一端
３ｂ  中央部
３ｃ  他端
５  ロウソク
１１  着火薬
１３  外側火薬層
１５  内側火薬層
１７  火薬部
１９  ロウソク
２１  花火
２３  保持体
２５  芯材
２７  着火薬
２９  芯材
３１  花火
３３  支持手段
４１  花火
【図１】
0003842860.tif 000002
【図２】
0003842860.tif 000003
【図３】
0003842860.tif 000004
【図４】
0003842860.tif 000005
【図５】
0003842860.tif 000006
【図６】
0003842860.tif 000007
【図７】
0003842860.tif 000008
【図８】
0003842860.tif 000009